(57)【要約】      （修正有）【課題】セキュアなセキュリティドキュメントを提供する。【解決手段】レーザライジングによって形成されたグレースケール画像を含むレーザリザブルな第１の層１と、位置合わせされたカラーパターン３と、第１の層１とカラーパターン３との間に設けられた第２の層２から構成され、第１の層１が第２の層２の上にあり、カラーパターン３が第２の層２の下にあるセキュリティドキュメントであって、セキュリティドキュメントをトップ部から観察するとセキュリティドキュメントのボトム部が照明されているときだけカラーパターンによって上記のグレースケール画像がカラー化されて現れるという態様で、第２の層は第１の層よりも不透明である。【選択図】図２
2018039256.tif 000002
【特許請求の範囲】
【請求項１】
・レーザライジングによって形成されたグレースケール画像を含むレーザリザブルな第１の層（１）と；
・前記グレースケール画像と位置合わせされたカラーパターン（３，３０）と；
・前記第１の層と前記パターンとの間に設けられた第２の層（２）であって、前記第１の層が前記第２の層の上にあり前記パターンが前記第２の層の下にある第２の層と、を備えたセキュリティドキュメントであって：
前記セキュリティドキュメントをトップ部から観察すると前記セキュリティドキュメントのボトム部が照明されているときだけ前記カラーパターンによって前記グレースケール画像がカラー化されて現れるという態様で、前記第２の層は前記第１の層よりも不透明である、セキュリティドキュメント。
【請求項２】
前記カラーパターン（３，３０）は、異なる色の少なくとも２つのエレメントを含み、レーザリザブルな前記第１の層は、異なる色の前記２つのエレメントの色を考慮しつつレーザライズされている、請求項１に記載のドキュメント。
【請求項３】
前記カラーパターン（３０）は、カラーピクセル（３１）のマトリクスであり、各ピクセルは、異なる色の複数のサブピクセル（Ｒ，Ｇ，Ｂ）を備え、前記グレースケール画像は、前記カラーパターンにおける異なる色の前記サブピクセルと位置合わせされたグレースケールサブピクセルを備えたグレースケールピクセルを含む、請求項２に記載のドキュメント。
【請求項４】
前記カラーパターンの下に第３の層（８）をさらに備え、前記第３の層は、前記第１の層よりも不透明であり、前記トップ部から前記セキュリティドキュメントを観察すると前記セキュリティドキュメントの前記ボトム部が照明されているときだけ前記グレースケール画像がカラー化されて現れる、請求項１〜３のいずれか一項に記載のドキュメント。
【請求項５】
前記カラーパターンの下または前記第３の層の下に、レーザリザブルな第４の層（９）を含む、請求項１〜４のいずれか一項に記載のドキュメント。
【請求項６】
レーザリザブルな前記第１の層は、前記第１の層よりも不透明な第５の層（４）の内側に設けられた窓である、請求項１〜５のいずれか一項に記載のドキュメント。
【請求項７】
追加のパターン（７１）が前記第５の層の上に形成されている、請求項６に記載のドキュメント。
【請求項８】
追加のパターン（７２）が前記第３の層の下に形成されている、少なくとも請求項４と組み合わされた請求項４〜７のいずれか一項に記載のドキュメント。
【請求項９】
レーザリザブルな前記第４の層（９）は、レーザライジングによって形成された追加のグレースケール画像を含み、レーザリザブルな前記第４の層の前記追加の画像は、前記カラーパターンと位置合わせされている、請求項５に記載のドキュメント。
【請求項１０】
前記トップ部から前記セキュリティドキュメントを観察すると前記セキュリティドキュメントの前記ボトム部が照明されているときだけ完全なカラー化画像が現れるという態様で、レーザリザブルな前記第１の層の前記グレースケール画像はレーザリザブルな前記第４の層の前記追加のグレースケール画像に関連付けられている、請求項９に記載のドキュメント。
【請求項１１】
セキュリティドキュメントを製造するための製造方法であって、以下の工程：
・レーザリザブルな第１の層（１）と、前記第１の層の下に存する第２の層（２）とを組み合わせることと；
・前記第２の層の下にカラーパターン（３，３０）を形成することと；
・レーザリザブルな前記第１の層の内部に、前記カラーパターン（３，３０）と位置合わせされたグレースケール画像をレーザライジングすることと；を備え、
前記セキュリティドキュメントをトップ部から観察すると前記セキュリティドキュメントのボトム部が照明されているときだけ前記カラーパターンによって前記グレースケール画像がカラー化されて現れるという態様で、前記第２の層は前記第１の層よりも不透明である、製造方法。
【請求項１２】
前記カラーパターン（３，３０）は、異なる色の少なくとも２つのエレメントを有するカラーパターンを形成することによって形成され、レーザリザブルな前記第１の層は、異なる色の前記２つのエレメントの色を考慮しつつレーザライズされる、請求項１１に記載の製造方法。
【請求項１３】
前記カラーパターン（３０）は、カラーピクセルのマトリクスであり、各ピクセルは、異なる色の複数のサブピクセルを備え、前記グレースケール画像は、前記カラーパターンにおける異なる色の前記サブピクセルと位置合わせされたグレースケールサブピクセルを備えたグレースケールピクセルを前記グレースケール画像が含むように、レーザライジングによって形成される、請求項１２に記載の製造方法。
【請求項１４】
前記カラーパターンの下に第３の層（８）が組み合わされ、前記第３の層は、前記第１の層よりも不透明であり、前記トップ部から前記セキュリティドキュメントを観察すると前記セキュリティドキュメントの前記ボトム部が照明されているときだけ前記グレースケール画像がカラー化されて現れる、請求項１１〜１３のいずれか一項に記載の製造方法。
【請求項１５】
前記パターンの下または前記第３の層の下に、レーザリザブルな第４の層（９）がさらに組み合わされる、請求項１１〜１４のいずれか一項に記載の製造方法。
【請求項１６】
前記第１の層は、前記第１の層よりも不透明な第５の層（４）の内側に設けられた窓である、請求項１１〜１５のいずれか一項に記載の製造方法。
【請求項１７】
追加のパターン（７１）が前記第５の層の上に形成される、請求項１６に記載の製造方法。
【請求項１８】
追加のパターン（７２）が前記第３の層の下に形成される、少なくとも請求項１４と組み合わされた請求項１４〜１７のいずれか一項に記載の製造方法。
【請求項１９】
レーザリザブルな前記第４の層に、前記カラーパターンと位置合わせされた追加のグレースケール画像がレーザライズされる、少なくとも請求項１５と組み合わされた請求項１１〜１８のいずれか一項に記載の方法。
【請求項２０】
前記トップ部から前記セキュリティドキュメントを観察すると前記セキュリティドキュメントの前記ボトム部が照明されているときだけ完全なカラー化画像が現れるという態様で、レーザリザブルな前記第１の層の前記グレースケール画像はレーザリザブルな前記第４の層の前記追加のグレースケール画像に関連付けられる、請求項１９に記載の方法。
【請求項２１】
レーザリザブルな前記第１の層は、前記セキュリティドキュメントの前記ボトム部が照明されているときにレーザライズされる、請求項１１〜２０のいずれか一項に記載の方法。
【請求項２２】
請求項１１〜２１のいずれか一項に記載の方法によって得られたセキュリティドキュメントを読み取る方法であって、前記セキュリティドキュメントは前記ボトム部から照明され、前記セキュリティドキュメントは前記トップ部から観察される、方法。
【発明の詳細な説明】
【技術分野】
【０００１】
本発明は、セキュリティドキュメント、例えばアイデンティティドキュメントである、の分野一般に関し、具体的にはレーザリザブルな層を含むセキュリティドキュメントに関する。
【０００２】
「レーザリザブル」という用語は、層へのレーザービームの照射（一般的に、「レーザライジング」と称される）によって炭化による目に見えるグレーレベルをその層に生成することを意味するために使用される。なお、レーザリザブルな層は、透明なポリカーボネートの層であってもよく、レーザービームによって添加物が炭化するという態様でレーザービームの通過に対して感度がある添加物を含んでいてもよい。そのようなレーザリザブルな層は、レーザーのパワーに応じて、その厚さ全体にわたって黒色化または少なくともある程度グレー化する。なぜなら、レーザービームの通過に対して感度がある添加物が、層の厚さ全体にわたって均一に分布しているためである。
【０００３】
先行技術は、仏国特許発明第２９７２５５３号明細書を含み、仏国特許発明第２９７２５５３号明細書には、カラーピクセルのマトリクスに重なっているレーザリザブルな層にグレースケール画像をレーザライジングすることによってカラー化画像を形成する方法が記載されている。
【０００４】
より優れたセキュリティをもたらし複製が困難なソリューションへの要求が存在する。
【０００５】
本発明は、特に、よりセキュアなセキュリティドキュメントを得ようというものである。
【発明の概要】
【０００６】
本発明は、
・レーザライジングによって形成されたグレースケール画像を含むレーザリザブルな第１の層と；
・上記のグレースケール画像と位置合わせされたカラーパターンと；
・上記の第１の層と上記のパターンとの間に設けられた第２の層であって、第１の層が第２の層の上にあり上記のパターンが第２の層の下にある第２の層と、を備えたセキュリティドキュメントであって：
セキュリティドキュメントをトップ部から観察するとセキュリティドキュメントのボトム部が照明されているときだけカラーパターンによって上記のグレースケール画像がカラー化されて現れるという態様で、第２の層は第１の層よりも不透明であるセキュリティドキュメントを提供することによって、上記の要求を満たす。
【０００７】
周囲照明によりトップ部からセキュリティドキュメントを観察するユーザは、グレースケール画像だけを見ることになる。周囲照明と比べて強い光強度または光パワーを有する光源にセキュリティドキュメントのボトム部が面するようにするだけで、トップ部から観察したときに画像がカラーで現れるように、カラーパターンがその色をトップ部に透明性によって伝える。セキュリティドキュメントのボトム部が照明されるというのは、そのようなことを意味する。
【０００８】
周囲照明の強度は一定ではないこともあり得るが、当業者であれば、セキュリティドキュメントのトップ部を観察したときに最初はグレースケール画像だった画像がカラーで現れるようにできる光源であって選択された光源なしには色が見えないというものをどのように選択すればよいか分かり、このことは容易に理解される。
【０００９】
このような照明は、当業者によって、「透過（diascopic）」照明と称されることがある。カードのボトム部を照明せずにトップ部からセキュリティドキュメントを観察することについて、当業者は、「落射（episcopic）」照明という用語を使用する。
【００１０】
グレースケール画像は、種々のグレーエレメントを備え、各グレーエレメントの暗度は、レーザライジングに使用されるレーザービームのパラメータを調整することによって変化し得る。レーザライジングは、レーザリザブルな第１の層のグレースケールエレメントがカラーパターンと位置合わせされるように実行される。この位置合わせは、カラーパターンの色またはその形状を考慮して行われ得る。
【００１１】
カラーパターンは、１つの色を有していてもよく、複数の色を有していてもよい。当業者であれば、第１の層および第２の層の厚さならびに第２の層の不透明度を、用途に応じてどのように選択すればよいか分かる。具体的には、当業者であれば、厚さおよび不透明度を、画像がカラーで現れるようにするための所望の光源に応じて適合させることができる。
【００１２】
なお、パターンを見えるようにするのに使用される光源は、太陽光であってもよい：セキュリティドキュメントのボトム部を太陽に面するようにすることで、カラー化された画像が現れ、一方、そうしないことで、画像がグレースケール画像として現れる。
【００１３】
機器を光源として使用することもできる。当業者であれば、例えば光源からの距離を約２０センチメートル（ｃｍ）として、画像がカラーで現れるように、光源のパラメータをどのように選択すればよいか分かる。これらのパラメータは、光ビームの方向および焦点であってもよく、その光強度であってもよく、および／または光の量であってもよい。
【００１４】
また、非常にセキュアなドキュメントが得られる。なぜなら、ドキュメントが一度レーザライズされると、それを、パターンの存在の情報および位置合わせの情報なしで不正目的で複製することは困難であるためである。
【００１５】
さらに、（インクジェットタイプの）プリントにより媒体上に直接的に最終的な表示を形成することによってカラーのレーザライズされた画像を不正に複製しても、無駄である。具体的には、本発明では、周囲照明で見えるのはグレースケール画像だけであり、従ってカラーパターンとグレースケール画像とを別々に形成することが重要である。このことは、このタイプのカラー化画像の不正な複製をより困難にする。
【００１６】
なお、本出願では、「上」および「下」という用語は恣意的に使用され、セキュリティドキュメントがひっくり返され得ることは容易に理解できる。ただし、ここでは、これらの用語は、アセンブリにおいて２つの層およびパターンが配置される順序に関して使用される：トップ部に第１の層、次に第２の層、次にパターンである。
【００１７】
同様に、セキュリティドキュメントのトップ部は、第２の層から見て第１の層と同じ側に位置するセキュリティドキュメントの面であり、セキュリティドキュメントのボトム部は、第２の層から見てパターンと同じ側に位置するセキュリティドキュメントの面である。
【００１８】
また、レーザライジングは、セキュリティドキュメントを、セキュリティドキュメントはレーザライズされる前には一般的なドキュメントなのであるが、セキュリティドキュメントがユーザと関連付けられるようにパーソナル化する役割を担っていてもよい。
【００１９】
具体的な実施形態では、カラーパターンは、異なる色の少なくとも２つのエレメントを含み、レーザリザブルな第１の層は、異なる色の上記の２つのエレメントの色を考慮しつつレーザライズされている。
【００２０】
それらが一度結合されると、カラーパターンおよびレーザリザブルな層に形成されたグレースケール画像により、不正目的の複製が非常に困難なカラー化画像を形成できる。なぜなら、カラーパターンおよびグレースケール画像は位置合わせされており、そのような位置合わせはやはり再現するのが困難であるためである。なぜなら、それは、例えばグレースケール画像がカラー化されて現れるときに選択された色相を得る目的で、カラーパターンの色を考慮するためである。
【００２１】
なお、第１の色を有するカラーパターンのエレメントと位置合わせされたレーザリザブルな第１の層の一部をレーザライズする第１の強度を用い、第２の色を有するカラーパターンのエレメントと位置合わせされたレーザリザブルな第１の層の第２の一部をレーザライズする第２の強度を用いることによって、カラー化画像の色相が調整されるように第１の層をレーザライズできる。
【００２２】
セキュリティドキュメントがレーザライズされるときに、感知される色を調整できる。なぜなら、セキュリティドキュメントのボトム部が照明されるときには、エレメントの１つが有する色は減衰してトップ部へと伝わるためである。
【００２３】
具体的な実施形態では、カラーパターンは、カラーピクセルのマトリクスであり、各ピクセルは、異なる色の複数のサブピクセルを備え、グレースケール画像は、カラーパターンにおける異なる色のサブピクセルと位置合わせされたグレースケールサブピクセルを備えたグレースケールピクセルを含む。
【００２４】
カラーピクセルのマトリクスのピクセルの全てが一致し、各々が異なる色を有する同じサブピクセルでできていてもよい。
【００２５】
なお、カラーピクセルのマトリクスは、各カラーピクセルが少なくとも１つの赤のサブピクセルと少なくとも１つの緑のサブピクセルと少なくとも１つの青のサブピクセルとを含む（ＲＧＢ系）ピクセルのマトリクスであってもよい。他のカラーピクセルのマトリクスも可能である。
【００２６】
グレースケールピクセルは、そのサブピクセルの各々のグレースケールレベルに応じたグレースケールレベルに関連付けられている。
【００２７】
これにより、レーザライゼイションにより全てのあり得るカラー画像を形成することが可能となる。なぜなら、各グレースケールピクセルについて、セキュリティドキュメントがボトム部から照明されているときにセキュリティドキュメントのトップ部から観察されるピクセルの最終的な色相が調整されるように、カラーサブピクセルの上のレーザリザブルな層を暗くできるためである。
【００２８】
具体的な実施形態では、セキュリティドキュメントは、上記のカラーパターンの下に第３の層をさらに備え、第３の層は、第１の層よりも不透明であり、トップ部からセキュリティドキュメントを観察するとセキュリティドキュメントのボトム部を照明しているときだけ上記グレースケール画像がカラー化されて現れる。
【００２９】
第２の層および第３の層を通過可能な強度の光でセキュリティドキュメントのトップ部またはボトム部を照明するだけで、最初はグレースケールだった画像をカラー化できる。この実施形態は、カラーパターンが埋め込まれていることを知らない悪意者による複製がさらに困難である。
【００３０】
当業者であれば、適切に選択された光源を用いてセキュリティドキュメントを照明するだけでパターンを観察できるようにするには第２の層および第３の層の厚さならびにそれらの不透明度をどのように選択すればよいか分かる。
【００３１】
具体的な実施形態では、セキュリティドキュメントは、上記のカラーパターンの下または第３の層の下に、レーザリザブルな第４の層を含む。
【００３２】
この場合、セキュリティドキュメントは、グレースケール画像を形成可能であり上記パターンと協働して完全な画像を形成できる２つのレーザリザブルな層を有する。この実施形態は、不正目的の複製がさらに困難である。
【００３３】
具体的な実施形態では、レーザリザブルな第１の層は、第１の層よりも不透明な第５の層の内側に設けられた窓である。
【００３４】
具体的な実施形態では、追加のパターンが上記の第５の層の上に形成されている。この追加のパターンは、具体的にはセキュリティドキュメントがアイデンティティドキュメントである場合には、画像またはテキストを備えていてもよい。その場合、グレースケール画像は、アイデンティティドキュメントのアイデンティティフォトグラフであってもよい。
【００３５】
具体的な実施形態では、追加のパターンが上記の第３の層の下に形成されている。
【００３６】
具体的な実施形態では、レーザリザブルな第４の層は、レーザライジングによって形成された追加のグレースケール画像を含み、レーザリザブルな第４の層の追加の画像は、上記のカラーパターンと位置合わせされている（レーザライズされた第１の層のグレースケール画像と同様である）。
【００３７】
なお、この実施形態では、特別な照明なしでトップ部を観察したときには、見えるのはレーザリザブルな第１の層のグレースケール画像であり、一方、セキュリティドキュメントがボトム部から照明されたときには、カラーパターンと重なることになるのは２つのグレースケール画像由来のカラー化された２つの画像である。
【００３８】
具体的な実施形態では、トップ部からセキュリティドキュメントを観察するとセキュリティドキュメントのボトム部が照明されているときだけ完全なカラー化画像が現れるという態様で、レーザリザブルな第１の層のグレースケール画像はレーザリザブルな第４の層の追加のグレースケール画像に関連付けられている。
【００３９】
この実施形態では、特別な照明なしでセキュリティドキュメントの各々の側から見えるのは、グレースケールの半分の画像のみである。セキュリティドキュメントを例えばボトム部から照明することによって完全な画像が見え、パターンがカラー化されている場合にはその画像はカラー化した画像であり得る。
【００４０】
これにより、最初は不完全に現れるまたは不完全な文字を有するテキストを完全なものとすることが可能となる、または、画像に追加の詳細を追加できる。
【００４１】
また、本発明は、セキュリティドキュメントを製造するための製造方法であって、以下の工程：
・レーザリザブルな第１の層と、第１の層の下に存する第２の層とを組み合わせることと；
・第２の層の下にカラーパターンを形成することと；
・レーザリザブルな第１の層の内部に、カラーパターンと位置合わせされたグレースケール画像をレーザライジングすることと；を備え、
セキュリティドキュメントをトップ部から観察するとセキュリティドキュメントのボトム部が照明されているときだけカラーパターンによって上記のグレースケール画像がカラー化されて現れるという態様で、第２の層は第１の層よりも不透明である、方法を提供する。
【００４２】
具体的な実装例では、カラーパターンは、異なる色の少なくとも２つのエレメントを有するカラーパターンを形成することによって形成され、レーザリザブルな第１の層は、異なる色の上記の２つのエレメントの色を考慮しつつレーザライズされる。
【００４３】
具体的な実装例では、カラーパターンは、カラーピクセルのマトリクスであり、各ピクセルは、異なる色の複数のサブピクセルを備え、グレースケール画像は、カラーパターンにおける異なる色のサブピクセルと位置合わせされたグレースケールサブピクセルを備えたグレースケールピクセルをグレースケール画像が含むように、レーザライジングによって形成される。
【００４４】
具体的な実装例では、上記のカラーパターンの下に第３の層が組み合わされ、第３の層は、第１の層よりも不透明であり、トップ部からセキュリティドキュメントを観察するとセキュリティドキュメントのボトム部が照明されているときだけ上記グレースケール画像がカラー化されて現れる。
【００４５】
具体的な実装例では、上記のパターンの下または第３の層の下に、レーザリザブルな第４の層がさらに組み合わされる。
【００４６】
具体的な実装例では、第１の層は、第１の層よりも不透明な第５の層の内側に設けられた窓である。
【００４７】
具体的な実装例では、追加のパターンが上記の第５の層の上に形成される。
【００４８】
具体的な実装例では、追加のパターンが上記の第３の層の下に形成される。
【００４９】
具体的な実装例では、レーザリザブルな第４の層は、レーザライジングによって形成された追加のグレースケール画像を含み、レーザリザブルな第４の層の追加の画像は、上記のカラーパターンと位置合わせされている。
【００５０】
具体的な実装例では、トップ部からセキュリティドキュメントを観察するとセキュリティドキュメントのボトム部が照明されているときだけ完全なカラー化画像が現れるという態様で、レーザリザブルな第１の層のグレースケール画像はレーザリザブルな第４の層の追加のグレースケール画像に関連付けられる。
【００５１】
具体的な実装例では、レーザリザブルな第１の層は、セキュリティドキュメントのボトム部が照明されているときにレーザライズされる。
【００５２】
また、本発明は、上記の方法によって得られたセキュリティドキュメントを読み取る方法であって、セキュリティドキュメントがボトム部から照明され、セキュリティドキュメントがトップ部から観察される方法を提供する。
【００５３】
本発明の他の特徴および利点は、添付する図面の参照を伴う以下の明細書から明らかとなり、それは、非限定的な性質を有する例を示す。
【図面の簡単な説明】
【００５４】
【図１】図１は、本発明の実施形態に係るセキュリティドキュメントの断面図である。
【図２】図２は、レーザライジング工程後の、図１のセキュリティドキュメントの断面図である。
【図３Ａ】図３Ａ、３Ｂおよび３Ｃは、異なる点灯条件における、図２のセキュリティドキュメントを示す。
【図３Ｂ】図３Ａ、３Ｂおよび３Ｃは、異なる点灯条件における、図２のセキュリティドキュメントを示す。
【図３Ｃ】図３Ａ、３Ｂおよび３Ｃは、異なる点灯条件における、図２のセキュリティドキュメントを示す。
【図４】図４は、本発明の他の実施形態に係るセキュリティドキュメントの断面図である。
【図５】図５は、レーザライジング工程後の、図４のセキュリティドキュメントの断面図である。
【図６Ａ】図６Ａおよび６Ｂは、異なる点灯条件における、図５のセキュリティドキュメントを示す。
【図６Ｂ】図６Ａおよび６Ｂは、異なる点灯条件における、図５のセキュリティドキュメントを示す。
【図７】図７は、本発明の他の実施形態に係るセキュリティドキュメントの断面図である。
【図８】図８は、本発明の他の実施形態に係るセキュリティドキュメントの断面図である。
【図９Ａ】図９Ａおよび９Ｂは、異なる点灯条件における、図８のセキュリティドキュメントを示す。
【図９Ｂ】図９Ａおよび９Ｂは、異なる点灯条件における、図８のセキュリティドキュメントを示す。
【発明を実施するための形態】
【００５５】
以下、セキュリティドキュメント、それを製造するための方法、およびそれを読み取るための方法について記載する。
【００５６】
図１は、セキュリティドキュメントＤＯＣ、例えば一般的なアイデンティティドキュメントである、であってまだパーソナル化されていないものの断面図である。
【００５７】
セキュリティドキュメントＤＯＣは、第１のレーザリザブルな層１、例えばレーザービームの照射（レーザライジング）によって炭化し得る粒子を含む透明なポリカーボネートの層である、を有する。
【００５８】
レーザリザブルな第１の層１の下には、第２の層２が組み合わされている。第１の層および第２の層は、プラスチック層への熱を伴い得る圧力印加である当業者に知られたラミネート方法によって組み合わされている。第２の層２は、ある程度（partially）不透明、例えば白色、であり、それは、白色の添加物で充填されたポリカーボネートの層であってもよく、または、添加物で充填されたインクを用いたプリント物で覆われた透明なポリカーボネートの層であってもよい。そのような層は、レーザリザブルな層ではない。この層の厚さおよびその不透明度は、選択された光源を用いたときに第２の層が十分に透明でこの層の反対側に配置されたエレメントが見えるようにするにはどのように選択すればよいのか、当業者が分かるパラメータである。
【００５９】
不透明度を調整するために、当業者は第２の層２における添加物の濃度を選択できる。添加物は、酸化チタンＴｉＯ2であってもよく、このようにすれば、非常に不透明な層を有することが可能となる。あるいは、それは、チョーク（炭酸カルシウムＣａＣＯ3）であってもよい。
【００６０】
この例では、第２の層２のボトム部には、例えばプリントにより、カラーパターン３が形成されている。このパターン３は、単一の色を有していてもよく、複数の色を有していてもよい。
【００６１】
さらに、この例では、第１の層は、「第５の」層４と称される不透明なポリカーボネートの層の内側に設けられた窓である。「第５の」層４は、第２の層２と同じ組成を有していてもよい。
【００６２】
上記のアセンブリの上には、第１の層１および第５の層４に重なっている透明なポリカーボネートの保護層５がある。上記のアセンブリの下には、ポリカーボネートの保護層６がある。これらの保護層５および６は、セキュリティドキュメントＤＯＣのトップ部（Ｆ１と記載）およびボトム部（Ｆ２と記載）に対応するセキュリティドキュメントＤＯＣの面を規定する。
【００６３】
図２は、面Ｆ１に、すなわちセキュリティドキュメントのトップ部に、レーザービームが照射されるレーザライジング工程を実施した後の、図１のセキュリティドキュメントを示す。
【００６４】
レーザライズされた後には、グレースケール画像ＩＧを形成するように、グレースケールエレメントＥＬがレーザリザブルな第１の層１に現れる。グレースケール画像ＩＧにおけるこれらのレーザライズされたエレメントＥＬは、パターン３と位置合わせされている。この位置合わせは、レーザービームを当てるために、画像取得手段を有するレーザーマーキング機器がカラーパターン３を観察できるようパターン３が現れるようにセキュリティドキュメントＤＯＣをボトム部から点灯することによって実現できる。セキュリティドキュメントのボトム部を照明することについては、図３Ｂおよび３Ｃを参照してより詳細に説明される。
【００６５】
なお、各グレースケールエレメントＥＬは、透明と完全な黒色の間にある暗度を有し得る。図では、グレースケールエレメントＥＬは、レーザリザブルな第１の層の厚さ全体にわたって拡がっているが、そうでなくてもよい。なぜなら、レーザリザブルな第１の層の一部のみがレーザライズされるのに適したレーザービームまたはレーザリザブルな第１の層の厚さを選択できるためである。
【００６６】
図３Ａは、トップ部から見たドキュメントＤＯＣを示す（面Ｆ１が見える）。ここでは、面Ｆ２は照明されていない。
【００６７】
グレースケール画像ＩＧ、この例では図２を参照して説明されたレーザライズされたエレメントＥＬによって構成された文字Ａを備えるものである、が見える。それは、図２の第２の層２の色、例えば白色、を有する背景の上に見える。
【００６８】
文字Ａは、グレーの暗度を有する。
【００６９】
図３Ｂもまた、上から見たドキュメントＤＯＣを示す。ここでは、面Ｆ２は、太陽に面している。カラー化画像ＩＣが現れている。カラー化画像ＩＣでは、先に見えていた文字Ａは、カラーで現れている。なぜなら、それは図２のカラーパターン３と重なっており、セキュリティドキュメントＤＯＣのボトム部に照射されている光の強度によりカラーパターン３がある程度見えるためである。この例では、第２の層２の厚さおよびその不透明度は、そのような態様で方向付けられたときにパターン３がある程度現れ文字Ａがカラー化されるように選択される。
【００７０】
なお、示されている例では、カラーパターン３は、レーザライズされたエレメントによって形成された文字Ａの形状を有する：カラーパターンの文字Ａとレーザライゼイションにより形成された文字Ａとは、位置が合っておりしかも形成されたこれらの文字Ａが同一寸法を有しているため、一致している。
【００７１】
文字Ａの暗度は、カラーパターン３の部分を少なくともある程度隠すレーザライズされたエレメントの多さによって定まる。カラーパターン３が複数の色を有する場合、観察される色相が選択されるように色の一部を隠すことができる。
【００７２】
具体的には、カラー化画像ＩＣについて選択された色相を得るために、カラーパターンにおける異なる色を考慮しつつレーザライゼイションを実行できる。
【００７３】
図３Ｃは、透過観察のために構成された機器Ｔに配置されたドキュメントＤＯＣを示す。そのような機器を使用しようとする当業者は、機器Ｔの面に配置されることでセキュリティドキュメントの面Ｆ２が照明されるときだけカラーパターン３がグレースケール画像をカラー化するように、第２の層２の厚さおよび不透明度を選択できる。そのようにすれば、カラー化画像ＩＣが見える。
【００７４】
また、当業者であれば、カラー化画像が現れるようにするために、機器Ｔの特性（方向、光ビームの焦点、光強度）をどのように定めればよいか分かる。
【００７５】
図４は、本発明に係る、レーザライジング前のセキュリティドキュメントＤＯＣ１の他の実施形態を示す。先の図面に用いられた参照符号と同じ参照符号を有するエレメントは、似たものである。
【００７６】
この例では、セキュリティドキュメントＤＯＣ１は、第２の層２のボトム部にプリントされたカラーパターンを有し、カラーパターンは、カラーピクセル３１のマトリクス３０の形式である。ピクセルマトリクスの各カラーピクセル３１は、赤のサブピクセル、緑のサブピクセルおよび青のサブピクセルを備える（これらのサブピクセルは、図４において、文字Ｒ、ＧおよびＢで示されている）。特に限定されないが、この例では３つのカラーピクセルが示されている：非常に高い解像度が可能である（サブピクセルは、１５０マイクロメートル（μｍ）未満または５０μｍ未満の寸法を有していてもよい）。
【００７７】
カラーピクセルのマトリクスでは、ピクセルは、マトリクス全体で繰り返されるカラー配列を有し、これらのピクセルはグリッド状に整列している。
【００７８】
さらに、セキュリティドキュメントＤＯＣ１は、第５の層４のトップ部および第２の層２のボトム部にそれぞれ設けられた２つの追加のプリントパターン７１および７２を含む。
【００７９】
図５は、レーザライジング工程を実行した後の、図４を参照して説明したセキュリティドキュメントＤＯＣ１を示す。
【００８０】
このレーザライジング工程の後には、第１の層１は、ピクセルマトリクスにおけるカラーサブピクセルＲ、ＧまたはＢとそれぞれ位置合わせされたグレースケールサブピクセル３２を含むように、レーザライズされたものとなる。参照符号３２は、レーザリザブルな第１の層における黒色化した部分とピクセル３１のサブピクセルの両方をカバーする。このように、グレースケールピクセル３３は、赤−緑−青のサブピクセルを備えたピクセル３１と位置合わせされて形成される。グレースケールピクセル３３は、グレースケール画像ＩＧ１を形成する。
【００８１】
なお、カラーピクセルのマトリクスおよびグレースケール画像ＩＧ１において、ピクセルおよびサブピクセルは、全て同じ寸法を有し、各グレースケールサブピクセルは、サブピクセルＲ、ＧまたはＢと同じ寸法を有する。
【００８２】
なお、レーザライジングは、セキュリティドキュメントが照明されたときに各グレースケールピクセル３３について選択された色相が得られるように、カラーサブピクセルＲ、ＧおよびＢの各々の位置を考慮しつつ実行される。
【００８３】
示されている例では、左に配置された第１のグレースケールピクセル３３は、青のサブピクセルと位置合わせされた１つのグレースケールピクセル３２のみを有する。このサブピクセルは不透明となるようにマークされており、このため左のカラーピクセル３１と位置合わせされた左のグレースケールピクセル３３と関連付けられている色は、黄色（赤プラス緑）となる。
【００８４】
中央に位置する第２のグレースケールピクセル３３は、それぞれ赤のサブピクセルおよび緑のサブピクセルと位置合わせされた２つのグレースケールサブピクセル３２を有する。中央のピクセル３１と位置合わせされた中央のグレースケールピクセル３３に関連付けられている色は、緑である。
【００８５】
右に配置された第３のグレースケールピクセル３３は、赤のサブピクセルおよび緑のサブピクセルにそれぞれ位置合わせされた２つのグレースケールサブピクセル３２を有する。右のピクセル３１と位置合わせされた右のグレースケールピクセル３３に関連付けられている色は、青である。
【００８６】
各ピクセルがとりうる多数の色が実現されるように、レーザライゼイションによって、他のグレースケールサブピクセル、具体的には完全に不透明なわけではないサブピクセル、が形成され得る。
【００８７】
図６Ａは、図５を参照して説明したドキュメントＤＯＣ１を上から見たものである（その面Ｆ１が見える）。この図では、面Ｆ２は照明されていない。
【００８８】
この例では、照明されていないときの第１の層１におけるグレースケール画像ＩＧ１が見える。
【００８９】
図６Ｂは、図５を参照して説明したドキュメントＤＯＣ１を上から見たものである。この図では、ドキュメントＤＯＣ１の面Ｆ２が（太陽または点灯装置によって）照明されている。
【００９０】
照明されると、第１の層１のグレースケールピクセル３３と赤−緑−青のサブピクセルを備えたピクセルマトリクスのピクセル３１との位置合わせによって、カラー化画像ＩＣ１が見える。
【００９１】
図７は、第３の層８が第２の層２の下に設けられピクセルのマトリクスが赤−緑−青のサブピクセルを備えた、本発明の別の変形例に係るセキュリティドキュメントＤＯＣ２を示す。
【００９２】
第３の層８は、不透明であってもよく、第２の層２と同じ組成を有していてもよい。
【００９３】
第３の層８は、カードのボトム部を観察するときにピクセルマトリクスを隠す役割を担う。
【００９４】
この変形例では、第２の層２および第３の層８の厚さおよび不透明度は、カードのボトム部が照明されるときに画像がやはりカラー化されるように適合され得る。
【００９５】
図８は、本発明の他の変形例に係るセキュリティドキュメントＤＯＣ３を示す。この変形例は、図７を参照して説明したものに対応するが、以下の追加のエレメントを有する：レーザリザブルな第４の層９が、図７を参照して説明した層８の下に組み合わされており、この層は、不透明であってもよく第２の層２と同じ組成を有していてもよい第６の層１０の内側に存する窓である。さらに、レーザリザブルな第４の層９は、レーザリザブルな第１の層１と位置合わせされている。
【００９６】
示されている例では、レーザリザブルな第１の層１は、図面を参照して説明したものとは異なる態様でレーザライズされており、それは、ピクセル３３およびサブピクセル３２を有する。レーザリザブルな第４の層９もまた、レーザライズされており、それは、ピクセル３５およびサブピクセル３４を有する。
【００９７】
図の左のピクセル３３では、グレースケールサブピクセル３２が、青のサブピクセルと位置合わせされてレーザリザブルな第１の層１に形成されている。
【００９８】
図の中央におけるピクセル３３および３５では、グレースケールサブピクセル３２が、赤のサブピクセルと位置合わせされてレーザリザブルな第１の層１に形成されており、グレースケールサブピクセル３４が、青のサブピクセルと位置合わせされてレーザリザブルな第４の層９に形成されている。
【００９９】
図の右のピクセル３５では、２つのグレースケールサブピクセル３４が、赤のサブピクセルおよび緑のサブピクセルにそれぞれ位置合わせされてレーザリザブルな第４の層９に形成されている。
【０１００】
グレースケール画像ＩＧ３は、レーザリザブルな第１の層１に形成されており、上記のグレースケール画像ＩＧ１の半分に対応する。追加のグレースケール画像ＩＧ３’は、レーザリザブルな第４の層９に形成されている。
【０１０１】
このようにして、図５を参照して示した例と比べて、同じ数のグレースケールサブピクセルが同じ色のサブピクセルに位置合わせされて形成されている。
【０１０２】
図９Ａは、図２を参照して説明したセキュリティドキュメントＤＯＣ３をトップ部から見たものを示す。ここでは、セキュリティドキュメントの面Ｆ２は照明されていない。
【０１０３】
この図で見られるように、面Ｆ１から見えるサブピクセル３２により、半分のグレースケール画像ＩＧ３は見える。窓の半分は、レーザリザブルな第１の層１が設けられているがレーザライズされたエレメントを含まないものであり、該半分により不透明な第２の層２が現れている。
【０１０４】
図９Ｂは、図８を参照して説明したセキュリティドキュメントＤＯＣ３を、その面Ｆ２が照明されているときにトップ部から見たときのものを示す。図６Ｂで見える画像と似たカラー化画像ＩＣ３が見える。
【０１０５】
この例では、図９Ａで見えていたグレースケール画像ＩＧ３が、レーザリザブルな第４の層９に形成された追加のグレースケール画像ＩＧ３’と関連付けられており、グレースケールエレメントの位置および照明によって、色がやはり見えている。
【図１】
2018039256.tif 000003
【図２】
2018039256.tif 000004
【図３Ａ】
2018039256.tif 000005
【図３Ｂ】
2018039256.tif 000006
【図３Ｃ】
2018039256.tif 000007
【図４】
2018039256.tif 000008
【図５】
2018039256.tif 000009
【図６Ａ】
2018039256.tif 000010
【図６Ｂ】
2018039256.tif 000011
【図７】
2018039256.tif 000012
【図８】
2018039256.tif 000013
【図９Ａ】
2018039256.tif 000014
【図９Ｂ】
2018039256.tif 000015
【外国語明細書】
2018039256000001.pdf